(57)【要約】共通チャネル（ビーコンチャネルなど）（２４）がセクタ化セル（１００）の指定されたカバレッジエリア上でスウィープされる方法およびシステムが開示される。アイドルＷＴＲＵ（１６）は、共通チャネルの最後のいくつかの読み取りの受信電力および受信の時間など、適切な情報を保存する。ＷＴＲＵの次のアクセスにおいて、この情報はネットワークに送信されて、ＷＴＲＵの場所、その進行方向、および、無線リソース管理のために有用である速度推定値が決定される。
2005531985.tif 000002
【特許請求の範囲】
【請求項１】
複数の無線送受信ユニット（ＷＴＲＵ）を有する通信システムであって、
アイドル状態にある間に、選択されたチャネルを監視するように構成されるレシーバと、
前記選択されたチャネルに関する情報を格納するためのメモリと、
前記格納された情報を前記ＷＴＲＵから適切な時間に送信するためのトランスミッタと、
前記複数の各ＷＴＲＵの速度および距離を、前記格納された情報を使用して計算する手段とを備えることを特徴とする通信システム。
【請求項２】
前記送信するステップは、以前の３つのＷＴＲＵアクセスからの情報を送信するステップをさらに備えることを特徴とする請求項１に記載の通信システム。
【請求項３】
前記情報は、パスロス、セクタ識別、電力、および獲得時間のうち少なくとも１つを含むことを特徴とする請求項１に記載の通信システム。
【請求項４】
前記共通チャネルは一意セクタ識別子を含むことを特徴とする請求項１に記載の通信システム。
【請求項５】
前記パスロスは地方または郊外環境係数から決定されることを特徴とする請求項３に記載の通信システム。
【請求項６】
前記距離はｃｏｓｔ−２３１  Ｈａｔａモデルによって計算されることを特徴とする請求項１に記載の通信システム。
【請求項７】
前記距離は平面地上伝搬モデルによって計算されることを特徴とする請求項１に記載の通信システム。
【請求項８】
前記距離は自由空間モデルによって計算されることを特徴とする請求項１に記載の通信システム。
【請求項９】
１つまたは複数のセクタをトラバースするＷＴＲＵの速度、方向および距離を決定するための方法であって、各セクタは少なくとも１つの共通チャネルを有し、前記方法は、
アイドル状態にある間に、各トラバースされたセクタの前記少なくとも１つのチャネルを監視するステップと、
各ビーコンチャネルに関する情報を格納するステップと、
前記格納された情報を前記ＷＴＲＵから適切な時間に送信するステップと、
三角測量および前記情報を使用して、前記ＷＴＲＵの速度および距離を計算するステップとを備えることを特徴とする方法。
【請求項１０】
前記送信するステップは、少なくとも３つの以前のＷＴＲＵアクセスからの情報を送信するステップをさらに備えることを特徴とする請求項９に記載の方法。
【請求項１１】
前記情報は、パスロス、セクタ識別、電力、および獲得時間のうち少なくとも１つを含むことを特徴とする請求項９に記載の方法。
【発明の詳細な説明】
【技術分野】
【０００１】
本発明は無線通信システムを対象とする。より詳細には、本発明は、無線送受信ユニット（ＷＴＲＵ）の速度および距離を決定するための、複数のスマートアンテナを使用するセルラーシステムに関する。
【背景技術】
【０００２】
現在の無線システム配置では、ＷＴＲＵの速度および位置は、多数の異なる方法を使用して決定される。例えば、全地球測位システム（ＧＰＳ）を、ＧＰＳ機能を有するこれらのＷＴＲＵのために使用することができる。代替として、ネットワークは速度および位置を、三角測量技術を使用して決定することができる。これらの各技術は一般に、望ましくない欠点を有する。例えば、ＧＰＳは著しい費用および複雑性をＷＴＲＵに加える。ＧＰＳが装備されたＷＴＲＵは基本的に２つのレシーバを有するデバイスであり、一方のレシーバはセルラーシステムとインターフェースを取るため、第２のレシーバは測位衛星を受信するためのものである。レシーバの追加によりバッテリ消費量が増し、貴重なＷＴＲＵリソースが消耗される。
【０００３】
ＷＴＲＵ位置決定のためのもう１つの方法は、追加の１次局および／または余分なハードウェアを各１次局で使用して、三角測量をサポートすることを必要とする、安定化技術を使用する。
【０００４】
ＷＴＲＵが１次局と通信中であるとき、ＷＴＲＵを効果的に探し出すことができる、改良されたＷＴＲＵトラッキングメカニズムを提供することが望ましい。
【発明の開示】
【発明が解決しようとする課題】
【０００５】
本発明は、共通チャネル（ビーコンチャネルなど）がセクタ化セルの指定されたカバレッジエリア上でスウィープされる、方法およびシステムを備える。
【課題を解決するための手段】
【０００６】
アイドルＷＴＲＵは、共通チャネルの最後のいくつかの読み取りの受信電力および受信の時間など、適切な情報を保存する。ＷＴＲＵの次のアクセスにおいて、この情報はネットワークに送信されて、ＷＴＲＵの場所、その進行方向、および、無線リソース管理のために有用である速度推定値が決定される。
【発明を実施するための最良の形態】
【０００７】
本発明を、図面を参照して説明し、図面においては全体にわたって類似の数字は類似の要素を表す。図１Ａを参照すると、通信ネットワーク１０は一般に１つまたは複数の１次局１４を備え、各１次局は複数のＷＴＲＵ１６との無線通信が可能である。各ＷＴＲＵ１６は、最も近い１次局１４、または最強の通信信号を提供する１次局１４のいずれかと通信する。ＷＴＲＵは一般に当技術分野で周知であり、車両電話またはハンドヘルド携帯電話として使用される。一般に、このようなＷＴＲＵはまたモバイルユニットとしても知られる。１次局はまた基地局としても知られる。
【０００８】
各１次局１４は、カバレッジエリア１０を通じて、１次局のアンテナ２１を介して、信号をブロードキャストおよび受信する。アンテナ２１はそのアンテナアレイを通じて、アンテナの放射パターンをビーム２４の形状に成形する。ビーム２４は、図１Ｂのように、カバレッジエリア１００の全体にわたってスウィープされる。カバレッジエリア１００は複数のセクタＳ１．．．ＳＮを備える。基地局コントローラ２０は、複数の１次局１４の間の通信を、陸線（land line）でも無線リンクでもよいネットワークパス２６を用いて調整する。通信ネットワーク１０をオプションで公衆交換電話網（ＰＳＴＮ）２２に、ＰＳＴＮネットワークパス２８を介して接続することができる。無線通信システム１０を、ネットワーク２６および１次局１４について別々のユニットを使用して示すが、これらの機能を物理的に基地局１４に結合させて、「マスタ１次局」を形成することができる。
【０００９】
図１Ａおよび図２を参照すると、ＷＴＲＵ１６は、ビーム２４によってスウィープされる、１次局１４のカバレッジエリア１００の１つまたは複数のセクタを通じてトラバースする（ステップ３０１）。ＷＴＲＵ１６は、アイドル状態時に１つまたは複数の共通チャネルを監視するように構成され（ステップ３１０）、例えば、カバレッジエリア１００の全体にわたって１次局１４によってブロードキャストされるビーコンチャネルである。共通チャネルは意図的には、カバレッジエリア内のすべてのＷＴＲＵによって受信されるように意味づけされる。アイドル（オンにされているが、ユーザー情報交換内でアクティブではない）ＷＴＲＵ１６が静止しているか、あるいはカバレッジエリアを動き回るとき、ビーコンチャネルについての、ビーコンチャネルからの情報を格納するようになる（ステップ３２０）。この情報には、時間、信号パスロス、セクタＩＤ、ビーコン送信電力、受信電力および受信干渉レベルが含まれる可能性がある。ＷＴＲＵ１６は後に、共通チャネルから収集した情報を１次局１４にアップリンクする（ステップ３３０）。次いで、この情報はネットワークによって使用されて、モバイルの速度、距離および方向が決定される（ステップ３４０）。
【００１０】
ＷＴＲＵ１６が共通チャネルを獲得するとき、共通チャネルもまた１次局１４からの情報を含む可能性があり、この情報は、ネットワーク２０がＷＴＲＵの場所を決定する助けとなる。例えば、ネットワーク２０は１次局１４に、ビーム２４を決定論的方法でカバレッジエリア全体にわたって組織的にスウィープして、セクタを切り開く（curve out）ように命令する（図１Ｂを参照）。ネットワーク２０は共通チャネルに、ビームがその中で送信されているセクタを示すセクタＩＤまたはビーム番号を付加することができる。ＷＴＲＵ１６は後に、タイムスタンプ付きの情報をネットワーク２０にアップリンクする。次いで、ネットワーク２０は、ＷＴＲＵ１６によって受信されたセクタｉｄまたはビーム番号を、計算されたパスロスと共に使用して、１次局１４に対してＷＴＲＵ１６の場所を計算することができる。パスロスは、１次局１４の送信電力およびＷＴＲＵ１６での受信電力に基づく。次いで、適切な環境モデルが適用されて、地形（terrain）の影響が補償される。例えば、環境が地方（rural）であった場合、ネットワークは地方環境モデルをその計算で使用する。
【００１１】
１次局の位置は知られており、ネットワークは相対位置を絶対位置に変換することができる。１次局の位置は絶対位置ではなく、Ｘ、Ｙグリッドまたはデカルト座標系を使用した、既知の基準点に対する相対値であることに留意されたい。Ｘ軸は東西方向を表し、Ｙ軸は南北方向を表す。グリッド値は通常、ｍまたはｋｍ単位である。カバレッジエリアのためのＷＴＲＵデカルト座標表現の一実施例を、図３に例示する。
【００１２】
ＷＴＲＵの位置（ＷＴＲＵ＿Ｘ，ＷＴＲＵ＿Ｙ）を決めるため、ΔＸおよびΔＹ距離が最初に、１次局およびＷＴＲＵからのＸおよびＹ距離として決定される。ＷＴＲＵの位置のＷＴＲＵ＿Ｘを、式１で見つけることができる。  
ＷＴＲＵ＿Ｘ＝ΔＸ＋ＰＳ＿ｐｏｓｉｔｉｏｎ＿Ｘ
式１
ただし、ΔＸはＷＴＲＵからＰＳまでのＸ距離であり、ＰＳ＿ｐｏｓｉｔｉｏｎ＿ＸはＰＳのＸ座標である。ＷＴＲＵ位置のＷＴＲＵ＿Ｙを、式２によって見つけることができる。  
ＷＴＲＵ＿Ｙ＝ΔＹ＋ＰＳ＿ｐｏｓｉｔｉｏｎ＿Ｙ                        式２
ただし、ΔＹはＷＴＲＵからＰＳまでのＹ距離であり、ＰＳ＿ｐｏｓｉｔｉｏｎ＿ＹはＰＳのＹ座標である。
【００１３】
１次局からＷＴＲＵまでの距離を、式３から見つけることができる。
【００１４】
【数１】
2005531985.tif 000003
【００１５】
ただし、ΔＸおよびΔＹは上記の式からの値である。ＰＳからＷＴＲＵまでの方位角を、式４から見つけることができる。  
Ａｚｉｍｕｔｈ（ＷＴＲＵ）＝ｔａｎ−１（ΔＹ／ΔＸ）
式４
ただし、Ａｚｉｍｕｔｈは度単位のアジマス角である。
【００１６】
図３を参照すると、例示的カバレッジエリア３０はデカルト座標系によって参照され、基準点（ＲＰ）３２は原点（０，０）に位置する。ＰＳ１４は座標（−５，２）に位置し、ＷＴＲＵ１６は（−１，５）に位置する。アジマス角Φ３８は、ＰＳ１４からＷＴＲＵ１６までの角度である。ＰＳ１４からＷＴＲＵ１６までの距離を計算するためには、ΔＸおよびΔＹの値が得られなければならない。ΔＸおよびΔＹの値は、それぞれＰＳ１４からＷＴＲＵ１６までのＸおよびＹ距離であり、これらのＸおよびＹ距離は、パスロスおよび既知のＰＳ送信電力およびＷＴＲＵ１６での受信電力を使用した計算から得られた。ΔＸは４に等しく、ΔＹは３に等しい。式３は、ＰＳからＷＴＲＵ１６までの距離が５ｍであると決定するために使用されたものである。アジマス角Φ３８は式４から決定され、約３９度である。
【００１７】
距離計算は、パスロス計算、および、大気条件（atmospheric conditions）などの環境変数に依存する。距離をパスロスおよび環境に基づいて決定するための自由空間モデルにおける通常の伝搬を、式５に示す。  
距離＝１０（パスロス−３２．４−２０ｌｏｇ（ｆ））／２０                                式５
ただし、ｆはＭＨｚ単位の中心搬送周波数であり、距離はＫｍ単位であり、パスロスはｄＢ単位である。距離を計算するためのもう１つの方法は平面地上伝搬モデル（plane earth propagation model）であり、これを式６によって例示する。  
距離＝１０（パスロス＋２０ｌｏｇ（ＨｂＨｍ））／４０                                  式６
ただし、Ｈｂは基地局アンテナの高さ（ｍ）であり、Ｈｍは移動局アンテナの高さ（ｍ）であり、距離はｍ単位である。距離を計算するためのさらにもう１つの方法は、パスロス計算のためのｃｏｓｔ−２３１  Ｈａｔａモデルであり、式７によって例示する。  
パスロス＝４６．３＋３３．９ｌｏｇ（ｆ）−１３．８２ｌｏｇ（Ｈｂ）−ａ（Ｈｍ）＋（４４．９−（６．５５ｌｏｇ（Ｈｂ）））＊ｌｏｇ（距離）＋Ｃｍ
式７
また、距離については、式８の通りである。  
距離＝１０（パスロス−４６．３−３３．９ｌｏｇ（ｆ）＋１３．８２ｌｏｇ（Ｈｂ）−ａ（Ｈｍ）−Ｃｍ／（４４．９−６．５５ｌｏｇ（Ｈｂ）））
式８
ただし、ＨｂおよびＨｍは、ｍ単位の基地局およびＷＴＲＵのアンテナの高さであり、ｆはＭＨｚ単位の中心周波数であり、距離はＫｍ単位であり、ａは中小都市向けのモバイルのアンテナの高さのための、ｄＢ単位の相関係数であり、これを式９に例示する。  
（Ｈｍ）＝（１．１ｌｏｇｆ−０．７）Ｈｍ−１．５６ｌｏｇｆ＋０．８
式９
ただし、Ｃｍの値は、郊外（suburban）または地方環境に応じて変化する。郊外環境モデルでは、Ｃｍ値は０ｄＢであり、大都市環境モデルでは、３ｄＢの値が使用される。
【００１８】
ＷＴＲＵがカバレッジエリアを動き回るとき、次いでネットワーク２０は、ＷＴＲＵ１６の速度および方向を、ＷＴＲＵ１６のビーム２４獲得測定値（acquisition mesurements）を比較することによって計算することができる。例えば、概算の速度決定を得るための、位置の変化が時間の変化によって除算されるような単純な式を式１０に示す。  
速度＝Δ位置／Δ時間
式１０
ただし、Δ位置は位置の変化であり、Δ時間は時間の変化である。
【００１９】
式１のさらなる分解を、式１１によって例示する。  
速度＝（Ｐｎ−Ｐｎ−１）／（Ｔｎ−Ｔｎ−１）
式１１
ただし、ＰｎおよびＴｎは、ＷＴＲＵ１６の現在位置および現在時間を表し、Ｐｎ−１およびＴｎ−１は、以前の位置およびその関連付けられた時間を表す。
【００２０】
速度の推定値は、位置推定値の精度に依存することに留意されたい。位置推定値は、カバレッジエリア１０が大きい場合、または、ＷＴＲＵ１６がセルの最も遠い周辺の付近にある場合、不正確になる可能性がある。しかし、カバレッジエリア１０が比較的小さく、ＷＴＲＵ１６がセルの中心に近い場合、推定値は非常に正確になる。セクタのサイズもまた位置推定値に影響を与えるようになり、より多くのセクタはカバレッジエリアを、より多くの位置決定可能な場所にスライスするようになる。
【００２１】
ＷＴＲＵの方向を得るには、システムは単に、ＷＴＲＵの現在および以前の場所を使用することができる。最初に距離は、上記の式を使用して、新しい数字で計算される。
【００２２】
最も効率的なリソースの割り当てを達成するために、ＷＴＲＵ１６が最初にカバレッジエリア１００に入ってくるとき、ＷＴＲＵ１６の位置および速度の推定値を作成することが、大変望ましい。これにより、通信ネットワーク２０はアドミッションアルゴリズムを使用し、通信リソースを効率的に割り当てることが可能となる。
【００２３】
もう１つの実施形態では、通信システムは、隣接する１次局または隣接するセルを利用して、より正確にＷＴＲＵ１６の位置を推定することができる。ＷＴＲＵ１６が１次局１４にアクセスするとき、同じくアダプティブアンテナレシーバを使用する隣接する１次局によって通信を監視することができる。リンクされた受信側の１次局は次いで、ＷＴＲＵ１６の場所を、単純な三角測量技術を使用して決定して、ＷＴＲＵの位置をより正確に計算することができる。
【００２４】
代替実施形態では、３つまたはそれ以上のＷＴＲＵビーコン測定値がＷＴＲＵによって取られ、通信システムに戻すようにレポートされる。これにより、ＷＴＲＵの速度および方向のよりよい決定が可能となる。
【００２５】
本発明を好ましい実施形態に関して説明したが、特許請求の範囲で概説するような、本発明の範囲内である他の変形形態は、当業者には明らかになるであろう。
【図面の簡単な説明】
【００２６】
【図１Ａ】本発明を組み込む教示による通信システムの図である。
【図１Ｂ】図１Ａに例示されたシステムの１次局のカバレッジエリアの図である。
【図２】本発明の教示による、ＷＴＲＵの速度および距離を決定するための方法の流れ図である。
【図３】図２に例示されたカバレッジエリアのＷＴＲＵデカルト座標表現の一実施例の図である。
【図１Ａ】
2005531985.tif 000004
【図１Ｂ】
2005531985.tif 000005
【図２】
2005531985.tif 000006
【図３】
2005531985.tif 000007
【手続補正書】
【提出日】平成17年3月3日(2005.3.3)
【手続補正１】
【補正対象書類名】特許請求の範囲
【補正対象項目名】全文
【補正方法】変更
【補正の内容】
【特許請求の範囲】
【請求項１】
基地局（ＢＳ）を含む無線通信システム内の無線送受信ユニット（ＷＴＲＵ）の速度、距離および方向を計算するためのシステムであって、
前記ＷＴＲＵにおける、
前記ＷＴＲＵがアイドル状態にある間、単一のＢＳからの選択されたチャネルを監視するように構成されたレシーバと、
前記選択されたチャネルに関する情報を格納するためのメモリと、
前記格納されたものを前記ＢＳに送信するためのトランスミッタと、
前記ＷＴＲＵの速度、距離および方向を、前記ＢＳに送信された前記情報に基づいて計算するための計算手段とを備えることを特徴とするシステム。
【請求項２】
前記格納された情報は３つの以前のＷＴＲＵアクセスからの情報を含むことを特徴とする請求項１に記載のシステム。
【請求項３】
前記選択されたチャネルに関して格納された前記情報は、パスロス、セクタ識別、電力、および獲得時間のうち少なくとも１つを含むことを特徴とする請求項１に記載のシステム。
【請求項４】
前記選択されたチャネルは一意セクタ識別子を含むことを特徴とする請求項１に記載のシステム。
【請求項５】
前記パスロスは地方または郊外環境係数から決定されることを特徴とする請求項３に記載のシステム。
【請求項６】
前記距離はｃｏｓｔ−２３１  Ｈａｔａモデルによって計算されることを特徴とする請求項１に記載のシステム。
【請求項７】
前記距離は平面地上伝搬モデルによって計算されることを特徴とする請求項１に記載のシステム。
【請求項８】
前記距離は自由空間モデルによって計算されることを特徴とする請求項１に記載のシステム。
【請求項９】
単一の基地局（ＢＳ）によってサービスされた１つまたは複数のセクタをトラバースする、無線送受信ユニット（ＷＴＲＵ）の速度、方向および距離を決定するための方法であって、各セクタは少なくとも１つの共通チャネルを有し、前記方法は、
前記ＷＴＲＵがアイドル状態にある間に、前記ＷＴＲＵによって各トラバースされたセクタの前記少なくとも１つのチャネルを監視するステップと、
各共通チャネルに関する情報を前記ＷＴＲＵにおいて格納するステップと、
前記格納された情報を前記ＷＴＲＵから前記ＢＳに送信するステップと、
三角測量、および、前記ＢＳに送信された前記情報を使用して、前記ＷＴＲＵの速度、方向および距離を前記ＢＳにおいて計算するステップとを備えることを特徴とする方法。
【請求項１０】
前記送信するステップは、少なくとも３つの以前のＷＴＲＵアクセスからの情報を送信するステップをさらに備えることを特徴とする請求項９に記載の方法。
【請求項１１】
前記情報は、パスロス、セクタ識別、電力、および獲得時間のうち少なくとも１つを含むことを特徴とする請求項９に記載の方法。
【手続補正２】
【補正対象書類名】明細書
【補正対象項目名】０００３
【補正方法】変更
【補正の内容】
【０００３】
ＷＴＲＵ位置決定のためのもう１つの方法は、追加の１次局および／または余分なハードウェアを各１次局で使用して、三角測量をサポートすることを必要とする、三角測量技術を使用する。
【手続補正３】
【補正対象書類名】明細書
【補正対象項目名】０００８
【補正方法】変更
【補正の内容】
【０００８】
各１次局１４は、カバレッジエリア１００を通じて、１次局のアンテナ２１を介して、信号をブロードキャストおよび受信する。アンテナ２１はそのアンテナアレイを通じて、アンテナの放射パターンをビーム２４の形状に成形する。ビーム２４は、図１Ｂのように、カバレッジエリア１００の全体にわたってスウィープされる。カバレッジエリア１００は複数のセクタＳ１．．．ＳＮを備える。基地局コントローラ２０は、複数の１次局１４の間の通信を、地上線（land line）でも無線リンクでもよいネットワークパス２６を用いて調整する。通信ネットワーク１０をオプションで公衆交換電話網（ＰＳＴＮ）２２に、ＰＳＴＮネットワークパス２８を介して接続することができる。無線通信システム１０を、ネットワーク２６および１次局１４について別々のユニットを使用して示すが、これらの機能を物理的に基地局１４に結合させて、「マスタ１次局」を形成することができる。
【手続補正４】
【補正対象書類名】明細書
【補正対象項目名】００１０
【補正方法】変更
【補正の内容】
【００１０】
ＷＴＲＵ１６が共通チャネルを獲得するとき、共通チャネルもまた１次局１４からの情報を含む可能性があり、この情報は、ネットワーク１０がＷＴＲＵの場所を決定する助けとなる。例えば、ネットワーク１０は１次局１４に、ビーム２４を決定論的方法でカバレッジエリア全体にわたって組織的にスウィープして、セクタを切り開く（curve out）ように命令する（図１Ｂを参照）。ネットワーク１０は共通チャネルに、ビームがその中で送信されているセクタを示すセクタＩＤまたはビーム番号を付加することができる。ＷＴＲＵ１６は後に、タイムスタンプ付きの情報をネットワーク１０にアップリンクする。次いで、ネットワーク１０は、ＷＴＲＵ１６によって受信されたセクタＩＤまたはビーム番号を、計算されたパスロスと共に使用して、１次局１４に対してＷＴＲＵ１６の場所を計算することができる。パスロスは、１次局１４の送信電力およびＷＴＲＵ１６での受信電力に基づく。次いで、適切な環境モデルが適用されて、地形（terrain）の影響が補償される。例えば、環境が地方（rural）であった場合、ネットワークは地方環境モデルをその計算で使用する。
【手続補正５】
【補正対象書類名】明細書
【補正対象項目名】００１８
【補正方法】変更
【補正の内容】
【００１８】
ＷＴＲＵがカバレッジエリアを動き回るとき、次いでネットワーク１０は、ＷＴＲＵ１６の速度および方向を、ＷＴＲＵのビーム獲得測定値（acquisition mesurements）を比較することによって計算することができる。例えば、概算の速度決定を得るための、位置の変化が時間の変化によって除算されるような単純な式を式１０に示す。
速度＝Δ位置／Δ時間
式１０
ただし、Δ位置は位置の変化であり、Δ時間は時間の変化である。
【手続補正６】
【補正対象書類名】明細書
【補正対象項目名】００２０
【補正方法】変更
【補正の内容】
【００２０】
速度の推定値は、位置推定値の精度に依存することに留意されたい。位置推定値は、カバレッジエリア１００が大きい場合、または、ＷＴＲＵ１６がセルの最も遠い周辺の付近にある場合、不正確になる可能性がある。しかし、カバレッジエリア１００が比較的小さく、ＷＴＲＵ１６がセルの中心に近い場合、推定値は非常に正確になる。セクタのサイズもまた位置推定値に影響を与えるようになり、より多くのセクタはカバレッジエリアを、より多くの位置決定可能な場所にスライスするようになる。
【手続補正７】
【補正対象書類名】明細書
【補正対象項目名】００２２
【補正方法】変更
【補正の内容】
【００２２】
最も効率的なリソースの割り当てを達成するために、ＷＴＲＵ１６が最初にカバレッジエリア１００に入ってくるとき、ＷＴＲＵ１６の位置および速度の推定値を作成することが、大変望ましい。これにより、通信ネットワーク１０はアドミッションアルゴリズムを使用し、通信リソースを効率的に割り当てることが可能となる。
【国際調査報告】
2005531985.tif 000008